(57)【要約】【課題】  ユーザが撮像した各画像データの撮像履歴を印刷結果から容易に検証可能な付加価値の高いインデックスプリント結果を得ることができる利便性に優れた印刷処理環境を構築することである。【解決手段】  複数の画像データを１枚の用紙に一覧印刷するインデックスプリント機能を備える印刷装置において、各画像データをインデックスプリント領域内に印刷する際に、インデックス印刷手段１０４が各画像データに付加されている撮影日時情報、該検出される各画像データの撮影日時に基づいて、時間的識別情報印刷手段１０７が各画像データの時間的識別情報をインデックスプリント領域内に時間的指標として印刷する構成を特徴とする。【選択図】  図１
2006069012.tif 000002
【特許請求の範囲】
【請求項１】
複数の画像データを１枚の用紙に一覧印刷するインデックスプリント機能を備える印刷装置であって、
各画像データをインデックスプリント領域内に印刷すると共に各画像データに付加されている撮影日時情報に基づいて、各画像データの時間的識別情報を時間的指標として印刷する印刷制御手段を有することを特徴とする印刷装置。
【請求項２】
前記印刷制御手段は、各画像データの撮影日時と撮影数とを相対的に示す撮影履歴指標を時間軸上に沿って印刷することを特徴とする請求項１記載の印刷装置。
【請求項３】
前記時間的識別情報は、各画像データの撮影日時と撮影数とを相対的に示す指標情報であることを特徴とする請求項１記載の印刷装置。
【請求項４】
前記時間的指標情報中の撮影数は、前記時間軸上が時分割された時間帯に含まれる撮影画像の総数を表す数値であることを特徴とする請求項１記載の印刷装置。
【請求項５】
前記時間的指標情報は、前記時間軸上が時分割された時間帯に含まれる撮影画像の総数を表す数値とその数値に比例する背景図形とであることを特徴とする請求項１記載の印刷装置。
【請求項６】
複数の画像データを１枚の用紙に一覧印刷するインデックスプリント機能を備える印刷装置であって、
各画像データをインデックスプリント領域内に印刷すると共に各画像データに付加されている撮影地点情報に基づいて、各画像データの地理的識別情報を地理的指標として印刷する印刷制御手段を有することを特徴とする印刷装置。
【請求項７】
前記印刷制御手段は、検出される各画像データの撮影地点情報に基づいて、各画像データの地理的識別情報をインデックスプリント領域内に撮影地点を示す指標を含むマップとして印刷することを特徴とする請求項６記載の印刷装置。
【請求項８】
前記印刷制御手段は、少なくともインデックスプリントされる各画像データの全ての地点を含む第１の地理的識別情報と、該第１の地理的識別情報を分割した第２の地理的識別情報とを印刷可能とすることを特徴とする請求項６記載の印刷装置。
【請求項９】
前記印刷制御手段は、少なくともインデックスプリントされる各画像データの全ての地点を含む第１の地理的識別情報と、該第１の地理的識別情報を分割した複数の第２の地理的識別情報とを印刷可能とすることを特徴とする請求項６記載の印刷装置。
【請求項１０】
前記第１の地理的識別情報と前記第２の地理的識別情報との縮尺は、それぞれ異なることを特徴とする請求項８記載の印刷装置。
【請求項１１】
複数の画像データを１枚の用紙に一覧印刷するインデックスプリント機能を備える印刷装置におけるインデックスプリント方法であって、
各画像データをインデックスプリント領域内に印刷すると共に各画像データに付加されている撮影日時情報に基づいて、各画像データの時間的識別情報を時間的指標として印刷する印刷制御ステップを有することを特徴とするインデックスプリント方法。
【請求項１２】
前記印刷制御ステップは、各画像データの撮影日時と撮影数とを相対的に示す撮影履歴指標を時間軸上に沿って印刷することを特徴とする請求項１１記載のインデックスプリント方法。
【請求項１３】
前記時間的識別情報は、各画像データの撮影日時と撮影数とを相対的に示す指標情報であることを特徴とする請求項１１記載のインデックスプリント方法。
【請求項１４】
前記時間的指標情報中の撮影数は、前記時間軸上が時分割された時間帯に含まれる撮影画像の総数を表す数値であることを特徴とする請求項１１記載のインデックスプリント方法。
【請求項１５】
前記時間的指標情報は、前記時間軸上が時分割された時間帯に含まれる撮影画像の総数を表す数値とその数値に比例する背景図形とであることを特徴とする請求項１１記載のインデックスプリント方法。
【請求項１６】
複数の画像データを１枚の用紙に一覧印刷するインデックスプリント機能を備える印刷装置におけるインデックスプリント方法であって、
各画像データをインデックスプリント領域内に印刷すると共に各画像データに付加されている撮影地点情報に基づいて、各画像データの地理的識別情報を地理的指標として印刷する印刷制御ステップを有することを特徴とするインデックスプリント方法。
【請求項１７】
前記印刷制御ステップは、検出される各画像データの撮影地点情報に基づいて、各画像データの地理的識別情報をインデックスプリント領域内に撮影地点を示す指標を含むマップとして印刷することを特徴とする請求項１６記載のインデックスプリント方法。
【請求項１８】
前記印刷制御ステップは、すくなくともインデックスプリントされる各画像データの全ての地点を含む第１の地理的識別情報と、該第１の地理的識別情報を分割した複数の第２の地理的識別情報とを印刷可能とすることを特徴とする請求項１６記載のインデックスプリント方法。
【請求項１９】
前記印刷制御ステップは、すくなくともインデックスプリントされる各画像データの全ての地点を含む第１の地理的識別情報と、該第１の地理的識別情報を分割した複数の第２の地理的識別情報とを印刷可能とすることを特徴とする請求項１６記載のインデックスプリント方法。
【請求項２０】
前記第１の地理的識別情報と前記第２の地理的識別情報との縮尺は、それぞれ異なることを特徴とする請求項１８又は１９記載のインデックスプリント方法。
【請求項２１】
請求項１１〜２０のいずれかに記載のインデックスプリント方法を実行させるためのプログラムを格納したことを特徴とするコンピュータが読み取り可能な記憶媒体。
【請求項２２】
請求項１１〜２０のいずれかに記載のインデックスプリント方法を実行させることを特徴とするプログラム。
【発明の詳細な説明】
【技術分野】
【０００１】
本発明は、画像データを一覧として印刷するインデックスプリント機能を備える印刷装置およびインデックスプリント方法およびコンピュータが読み取り可能なプログラムを格納した記憶媒体およびプログラムに関するものである。
【背景技術】
【０００２】
近年、デジタルカメラの普及にとともに、パーソナルコンピュータとプリンタを用いたデジタル処理出力環境が整備されてきている。ラボ店やプリントショップなどでも、単純な同時プリントサービスから、大伸ばしや、テンプレートを用いた付加価値印刷、証明写真印刷、名刺印刷サービスなど、デジタル処理ならではの即時性、多様性を生かした付加価値プリントサービスが広がりをみせている。
【０００３】
そして、デジタル画像データを利用したデジタルプリントサービスは今後も増加が見込まれている。このため、従来銀塩写真サービスを行っていたミニラボ店においても、機器をデジタル処理対応のものにリプレースし、デジタルプリントサービスを提供できるよう業務形態を変化させている。
【０００４】
例えば、顧客が持ち込んだデジタル画像データを一旦オーダデータとして受け付けオーダ管理を行い、店舗オペレータが顧客の注文内容に応じた印刷を行うオーダデータをベースとしたワークフローを行うデジタルプリントシステムがある。
【０００５】
このようなデジタルプリントシステムでは、導入コストや拡張性の面から汎用のパーソナルコンピュータを用いたものが多く用いられるようになってきている。汎用のパーソナルコンピュータを用いることにより、デジタルプリントサービスを行うソフトウエアも柔軟な機能の追加を行うことが可能となっている。
【０００６】
このような背景の中、プリントサービスを行う店舗では、顧客獲得のため、特色のあるプリントサービスを提供することが大きな課題となっている。
【０００７】
また、近年、情報端末機器の発達により、カメラ付き携帯電話などの手軽な機器でも、デジタル画像の撮影が可能となってきている。これら容易に撮影されるようになったデジタル画像に対し、画像データに付加されている撮影情報をプリントサービスにどのように利用するかが、特色のあるサービスを提供することへの一つの鍵となっている。
【０００８】
特に撮影日時は、従来の銀塩フィルムを用いたカメラから利用されている撮影画像の基本情報であり、その撮影日時情報を利用した例として、次のような開示例がある。下記特許文献１には、同一の写真フィルムの中に、撮影日時、撮影場所等の異なる画像が記録されていても、撮影場所、撮影日時等が同一の画像コマのみを選択してインデックスプリントを作成するものが開示されている。
【０００９】
また、下記特許文献２あるいは下記特許文献３には、フィルム最終コマから撮影された画像に対しても、実際の撮影順序情報に基づき、撮影順に各コマを並べてインデックスプリントを作成するものが開示されている。これらの方法や装置は、インデックスプリントのコマ画像の撮影日時に基づいた印刷順の定義を行っているだけで、インデックス内に印刷される複数画像間の相対的な日時情報を提示しているわけではなかった。
【特許文献１】特開平８−２４８５２４号公報
【特許文献２】特開平９−６１９４０号公報
【特許文献３】特開平９−２６５１７４号公報  さらに、このような背景の中、プリントサービスを行う店舗では、顧客獲得のため、特色のあるプリントサービスを提供することが大きな課題となっている。また近年、カメラ付き携帯電話などの手軽な携帯端末で、ＧＰＳ（Ｇｌｏｂａｌ  Ｐｏｓｉｔｉｏｎｉｎｇ  Ｓｙｓｔｅｍ）情報を画像に容易に付加できるようになってきている。従来、撮影画像に付加された位置情報を利用した開示例として、次のようなものがあった。下記特許文献４には、撮影の位置情報をもとに、地名や住所などの情報をデータベースから検索して出力することにより、写真の撮影状況を直感的に理解可能にする「写真情報処理システム」が開示されている。
【００１０】
また、下記特許文献５には、必要ならば地図情報も加えて表示、出力することができる「写真画像のファイリング装置」が開示されている。
【００１１】
さらに下記特許文献６には、撮影位置情報をプリントに添付し、写真プリントから撮影された場所を知る方法と、これを用いた撮影地点情報を販売する仕組みを提供する「写真プリントの撮影位置の地図を表示するフォトサービスシステム」が開示されている。これらの方法や装置は、画像毎の撮影場所や撮影状況を提示することに主眼をおいているものであった。
【特許文献４】特開平８−３６２１７号公報
【特許文献５】特開平８−２４０８５４号公報
【特許文献６】特開２００２−２２９１１７号公報
【発明の開示】
【発明が解決しようとする課題】
【００１２】
上述したように、画像に付加された撮影日時情報からインデックスを印刷する従来の方法や装置では、コマ画像の並び順として撮影日時情報が利用されているに過ぎず、画像の撮影日時の相対的な関係を効果的に表現しているとはいえなかった。
【００１３】
上述したように、画像に付加している位置情報から検索された地図などの情報を、画像と同時に印刷する従来の方法や装置では、画像毎の撮影場所や撮影状況に主眼がおかれていた。このため、特に同時プリントサービスと同時に印刷されるインデックスプリントサービスを考慮した場合、ある一塊の画像群、例えば注文毎の複数の画像の位置情報を効果的に提示しているとはいえなかった。
【００１４】
本発明は、上記の課題を解決するためになされたもので、本発明の第１の目的は、複数の画像データを１枚の用紙に一覧印刷するインデックスプリント機能を備える印刷装置において、各画像データをインデックスプリント領域内に印刷する際に、各画像データに付加されている撮影日時情報に基づいて、各画像データの時間的識別情報をインデックスプリント領域内に時間的指標として印刷することにより、ユーザが撮像した各画像データの撮像履歴を印刷結果から容易に検証可能な付加価値の高いインデックスプリント結果を得ることができる利便性に優れた印刷装置およびインデックスプリント方法およびコンピュータが読み取り可能なプログラムを格納した記憶媒体およびプログラムを得ることである。
【００１５】
本発明の第２の目的は、複数の画像データを１枚の用紙に一覧印刷するインデックスプリント機能を備える印刷装置において、各画像データをインデックスプリント領域内に印刷する際に、各画像データに付加されている撮影地点情報を検出し、該検出される各画像データの撮影地点に基づいて、各画像データの地理的識別情報をインデックスプリント領域内に地理的指標として印刷することにより、ユーザが撮像した各画像データの撮像地点を印刷結果から容易に検証可能な付加価値の高いインデックスプリント結果を得ることができる利便性に優れた印刷装置およびインデックスプリント方法およびコンピュータが読み取り可能なプログラムを格納した記憶媒体およびプログラムを得ることである。
【課題を解決するための手段】
【００１６】
上記目的を達成する本発明の印刷装置は以下に示す構成を備える。
【００１７】
複数の画像データを１枚の用紙に一覧印刷するインデックスプリント機能を備える印刷装置であって、各画像データをインデックスプリント領域内に印刷すると共に各画像データに付加されている撮影日時情報に基づいて、各画像データの時間的識別情報を時間的指標として印刷する印刷制御手段を有することを特徴とする。
【００１８】
また、複数の画像データを１枚の用紙に一覧印刷するインデックスプリント機能を備える印刷装置であって、各画像データをインデックスプリント領域内に印刷すると共に各画像データに付加されている撮影地点情報に基づいて、各画像データの地理的識別情報を地理的指標として印刷する印刷制御手段を有することを特徴とする。
【００１９】
上記目的を達成する本発明のインデックスプリント方法は以下に示す構成を備える。
【００２０】
複数の画像データを１枚の用紙に一覧印刷するインデックスプリント機能を備える印刷装置におけるインデックスプリント方法であって、
各画像データをインデックスプリント領域内に印刷すると共に各画像データに付加されている撮影日時情報に基づいて、各画像データの時間的識別情報を時間的指標として印刷する印刷制御ステップを有することを特徴とする。
【００２１】
また、複数の画像データを１枚の用紙に一覧印刷するインデックスプリント機能を備える印刷装置におけるインデックスプリント方法であって、各画像データをインデックスプリント領域内に印刷すると共に各画像データに付加されている撮影地点情報に基づいて、各画像データの地理的識別情報を地理的指標として印刷する印刷制御ステップを有することを特徴とする。
【発明の効果】
【００２２】
本発明によれば、ユーザが撮像した各画像データの撮像履歴を印刷結果から容易に検証可能な付加価値の高いインデックスプリント結果を得ることができる印刷処理環境を自在に構築することができる。
【００２３】
また、ユーザが撮像した各画像データの撮像地点を印刷結果から容易に検証可能な付加価値の高いインデックスプリント結果を得ることができる印刷処理環境を自在に構築することができる。
【発明を実施するための最良の形態】
【００２４】
次に本発明を実施するための最良の形態について図面を参照して説明する。
【００２５】
＜システム構成の説明＞
以下、本発明の実施の形態について図面を参照して説明する。
【００２６】
〔第１実施形態〕
図１は、本発明の第１実施形態を示す印刷装置を適用可能な印刷システムの構成を説明するブロック図である。
【００２７】
この図１はインデックスプリント方法を適用したインデックスプリントシステムの概略構成を示すブロック図である。
【００２８】
図１において、１０１は複数の画像データを管理する画像管理手段で、例えばオペレーティングシステムのファイルシステムそのものとして構成する場合と、あるいは、オペレーティングシステムのファイルシステムとは独立した画像管理データベースとして構成される場合とを含む。なお、画像データは、図示しない撮像デバイス、例えばデジタルカメラで撮像されてメモリデバイスに蓄積された後、所定のインタフェースを介して画像管理手段１０１が管理するメモリ領域に登録されるものとし、該画像データには、撮像された日時がデジタルカメラの日時写し込み機能により画像として移し込まれている場合がある。
【００２９】
１０２は画像表示手段で、画像管理手段１０２によって管理されている画像データと該画像データの撮影日時や登録日時とを表示可能に構成されている。なお、日時は、あらかじめ設定された日時フォーマットにより、その表示態様が決定されるものとして、本実施形態では、「２０００／１０／２１」等の西暦表示とする。そして、その表示位置は、後述するコマ画像の左下隅とするが、その他の位置に写し込まれていてもよい。
【００３０】
１０３は印刷設定手段で、画像表示手段１０２によって表示されている画像から、印刷すべき画像データを選択したり、該選択した画像データに対する印刷の設定を行う。
【００３１】
なお、印刷設定手段１０３は、例えば、全画像を一括で印刷選択したり、画像毎に印刷選択したりする機能、あるいはインデックスのレイアウト（１６コマ・３０コマ・４２コマ）を選択したりする機能を有する。
【００３２】
１０４はインデックス印刷手段で、印刷設定手段１０３よって選択された画像のインデックス印刷を行う。インデックス印刷手段１０４は、日時判定手段１０５、画像印刷手段１０６、時間軸及び識別情報印刷手段１０７を有する。尚、日時判定手段１０５は図４に詳細なフローを示す。
【００３３】
図２は、図１に示す印刷システムのハード構成の一例を示すブロック図である。
【００３４】
図２において、２０１は演算及び制御用の中央演算処理部（ＣＰＵ）である。２０２はＲＯＭで、画像管理、画像表示、印刷設定、インデックス印刷を行うプログラムが格納されている。２０３はＲＡＭで、画像管理、画像表示、印刷設定、インデックス印刷プログラムが実行される場合に、プログラムがロードされる実行領域、及びプログラムの作業領域が確保される。
【００３５】
２０４はキーボードで、オペレータが操作やデータ入力を行うためのキーを有する。２０５はポインティングデバイスで、ディスプレイ２０６に表示された指示アイコンをクリックしたり、カーソルを移動して操作の指示を行う。
【００３６】
２０７は記憶装置（ハードディスク（ＨＤ））で、画像データ、画像管理データ、印刷設定データ、プログラム、あるいは印刷用のスプールデータを格納する。なお、ディスプレイ２０６はタッチパネルでもよい。
【００３７】
２０８はリムーバブルメディアで、外部画像処理装置とのデータ交換や、画像データ及びプログラムが格納される、フレキシブルディスク（ＦＤ）や光磁気ディスク（ＭＯ）などである。
【００３８】
２０９は印刷装置（プリンタ）であり、２１０は画像の入力デバイスで、デジタル画像の入力を行うフィルムスキャナやデジタルカメラ等で構成される。２１１はバスで、印刷システム内の各デバイスを相互に接続する。
【００３９】
なお、図１における画像管理手段１０１、画像表示手段１０２、印刷設定手段１０３、インデックス印刷手段１０４は、ＣＰＵ２０１、ＲＡＭ２０３、ＨＤ２０７及びディスプレイ２０６により構成される。また、印刷装置２０９は、バス２１１に接続される場合に限らず、ネットワークコントローラを介してネットワーク上のプリンタで構成される場合でも本発明を適用可能である。
【００４０】
図３は、本発明に係る印刷システムにおける第１のデータ処理手順の一例を示すフローチャートであり、例えば図１に示されるインデックス印刷手段１０４で実行される処理手順に対応する。なお、Ｓ３０１〜Ｓ３０９は各ステップを示す。
【００４１】
インデックス印刷が開始されると、印刷設定手段１０３にて設定される印刷設定として、ページ毎の日時判断か全画像の日時判断かの選択が行われる（Ｓ３０１）。なお、ステップＳ３０１の設定は、システムによっていずれか固定であってもかまわない。ページ毎の日時判断と全画像の日時判断の違いは、インデックスプリントが複数ページに及ぶ場合の動作の相違となる。
【００４２】
インデックス印刷結果が複数ページとならない場合は、ページ毎日時判断か全画像日時判断かの差異はない。ページ毎の日時判断を行うと判断した場合、印刷設定手段１０４によって設定された印刷レイアウト、例えば１６コマ／１ページに基づき、１ページ内での画像の日時判定がなされる（Ｓ３０２）。
【００４３】
なお、ステップＳ３０２は、図４に詳細のフローを示す。
【００４４】
次に、ステップＳ３０２によってなされた日時判定に基づき、ページ毎のコマ画像が、撮影順にプリンタ２０９で印刷される（Ｓ３０３）。次に、ステップＳ３０２によってなされた日時判定に基づき、ページ内画像の時間軸及び識別情報がプリンタ２０９で印刷される（Ｓ３０４）。
【００４５】
次に、印刷する最終画像まで印刷されたかどうかが判断され（Ｓ３０５）、まだ印刷すべき画像があると判断した場合は、ステップＳ３０２に戻って、ページ内の処理がなされ、印刷すべき画像がないと判断した場合は、本インデックス印刷処理が終了となる。
【００４６】
なお、ステップＳ３０１によって、全画像の日時判定となっていた場合、全画像の日時判定がなされる（Ｓ３０６）。なお、ステップＳ３０６は、ステップＳ３０２と同様、図４に詳細のフローを示す。
【００４７】
次に、ページ毎のコマ画像の印刷が行われる（Ｓ３０７）。次に、全画像に対応した時間軸及び識別情報が印刷される（Ｓ３０８）。尚この時間軸及び識別情報はページ毎に共通な印刷情報となる。次に、印刷する最終画像まで印刷されたかどうかが判断され（Ｓ３０９）、まだ印刷すべき画像があると判断した場合は、ステップＳ３０６に戻って、ページ内のコマ画像の印刷処理がなされ、印刷すべき画像がないと判断した場合は、本インデックス印刷処理が終了する。
【００４８】
図４は、本発明に係る印刷システムにおける第２のデータ処理手順の一例を示すフローチャートであり、例えば図１に示されるインデックス印刷手段１０４の日時判定手段１０５による図３に示したステップＳ３０２、ステップＳ３０６で実行されるインデックス印刷の時間軸識別情報を生成するための日時判定処理手順に対応する。なお、Ｓ４０１〜Ｓ４１０は各ステップを示す。
【００４９】
日時判定が開始されると、印刷設定手段１０３にて印刷指定されている画像データに対して、全て同じ「年」の画像データかどうかがチェックされる（Ｓ４０１）。全て同じ年でないと判断した場合は、年毎の画像数がチェックされ（Ｓ４０２）、本処理を終了する。
【００５０】
一方、ステップＳ４０１において、全て同じ年であったと判定した場合は、次に、全て同じ「月」かどうかがチェックされ（Ｓ４０３）、全て同じ月でないと判断した場合は、月毎の画像数がチェックされ（Ｓ４０４）、本処理を終了する。
【００５１】
一方、ステップＳ４０３で、全て同じ月であったと判断した場合は、次に、全て同じ「日」であったかどうかがチェックされ（Ｓ４０５）、全て同じ日でなかったと判断した場合は、日毎の画像数がチェックされ（Ｓ４０６）、本処理を終了する。
【００５２】
一方、ステップＳ４０５で、全て同じ日であったと判定した場合は、次に、全て同じ「時」であったかどうかチェックされ（Ｓ４０７）、全て同じ時でないと判断した場合は、時毎の画像数がチェックされ（Ｓ４０８）、本処理を終了する。
【００５３】
一方、ステップＳ４０７で、全て同じ時であったと判断した場合は、次に、全て同じ「分」であったどうかがチェックされ（Ｓ４０９）、全て同じ分でなかったと判断した場合は、分毎の画像数がチェックされ（Ｓ４１０）、本処理を終了する。
【００５４】
一方、ステップＳ４０９で、全て同じ分であったと判断した場合、本処理を終了となる。
【００５５】
図５は、本発明に係る印刷システムにおける第１のインデックス印刷結果の一例を示す図であり、図４に示した日付判断のフローを利用した、インデックス印刷手段１０４によって印刷される印刷結果の一例を示す。
【００５６】
図５において、５０１は印刷されたインデックスの用紙を示す。５０２は、画像印刷手段１０６によって印刷されたコマ画像を示す。５０３は時間軸で、時間軸及び識別情報印刷手段１０７によって印刷される。
【００５７】
５０４は、図４のフローに基づいてチェックされた識別情報である時間帯毎の画像数を示し、時間軸及び識別情報印刷手段１０７によって印刷される。
【００５８】
図５の例では、全ての画像は２０００年１０月のものであるが、撮影日が異なっている。
【００５９】
具体的には、開始日は２０００年１０月８日、最終日は２０００年１０月２９日である。２０００年１０月８日には３枚、２０００年１０月９日に１枚、２０００年１０月１０日に１枚、２０００年１０月１１日に１枚、２０００年１０月１４日に１枚、２０００年１０月２０日に５枚、２０００年１０月２１日に３枚、２０００年１０月２９日に１枚であること示す。
【００６０】
図６は、本発明に係る印刷システムにおける第２のインデックス印刷結果の一例を示す図であり、図４に示した日付判断のフローを利用した、インデックス印刷手段１０４によって印刷される印刷結果の一例を示す。
【００６１】
図５にて示した識別情報のインデックス印刷例とは識別情報の表現が異なる例を示す。
【００６２】
図６において、６０１は印刷されたインデックスの用紙を示す。６０２は、画像印刷手段１０６によって印刷されたコマ画像を示す。６０３は、時間軸及び識別情報印刷手段１０７によって印刷される時間軸を示す。６０４は、時間軸及び識別情報印刷手段１０７によって印刷された、時間帯毎の画像数を示す。
【００６３】
ただし、図５の例と異なり、画像総数を面積で図示する図形が印刷されている。
【００６４】
６０４にて示された図形は、枚数が多い程、円図形の直径が大きくなるよう印刷した例である。
【００６５】
図７は、本発明に係る印刷システムにおける第３のデータ処理手順の一例を示すフローチャートであり、日時判定手段１０５、およびステップＳ３０２、ステップＳ３０６で実行される時間軸識別情報を生成するための日時判定処理手順に対応する。なお、Ｓ７０１〜Ｓ７１２は各ステップを示す。
【００６６】
日時判定が開始されると、印刷設定手段１０３にて印刷指定されている画像に対して、全て同じ「年」の画像かどうかがチェックされる（Ｓ７０１）。全て同じ年でない場合は、年毎の画像数がチェックされる（Ｓ７０２）。ステップＳ７０１において、全て同じ年であった場合は、次に、全て同じ「四半期」かどうかがチェックされる（Ｓ７０３）。全て同じ四半期でない場合は、四半期毎の画像数がチェックされる（Ｓ７０４）。全て同じ四半期であった場合は、次に、全て同じ「月」であったかどうかがチェックされる（Ｓ７０５）。全て同じ月でなかった場合は、月毎の画像数がチェックされる（Ｓ７０６）。全て同じ月であった場合は、次に、全て同じ「週」であったかどうかチェックされる（Ｓ７０７）。全て同じ週でない場合は、週毎の画像数がチェックされる（Ｓ７０８）。次に全て同じ週であった場合は、次に、全て同じ「日」であったどうかがチェックされる（Ｓ７０９）。全て同じ日でなかった場合は、日毎の画像数がチェックされる（Ｓ７１０）。全て同じ日であった場合は、次に、全て同じ「ＡＭ／ＰＭ」かどうかがチェックされる（Ｓ７１１）。全て同じＡＭ／ＰＭでなかった場合は、ＡＭ／ＰＭ毎の画像数がチェックされる（Ｓ７１２）。全て同じＡＭ／ＰＭであった場合は、終了となる。
【００６７】
上述したように、本実施形態によれば、画像データに付加された撮影日時情報を判断した時間帯毎の画像個数情報に基づき、該インデックスプリント上に同時に印刷される時間軸上に、一見して理解できる撮影日時の相対的な関係を示す識別情報が印刷されるので、付加価値の高いインデックスプリントを提供することができる。
【００６８】
なお、上記実施形態では、撮影日時情報を識別情報としてインデックス印刷する場合について説明したが、印刷すべき撮影日時情報を識別情報としてインデックス印刷すべき画像とを画像表示手段１０２に表示する処理に判定させることも本発明の実施形態に含めることができる。
【００６９】
〔第２実施形態〕
上記実施形態では、インデックスプリントに際して、撮影日時とその撮影枚数を示す各画像データに対する識別情報をインデックスプリント領域に時間軸とともに、指標として印刷する場合について説明したが、印刷すべき事項は、これに限らず、例えば撮影時にＧＰＳ等より取得可能な地点情報を検出して、その撮影地点を示すマップをインデックスプリント領域に印刷するように制御してもよい。以下、その実施形態について説明する。
【００７０】
図８は、本発明の第２実施形態を示す印刷装置を適用可能な印刷システムの構成を説明するブロック図であり、図１と同一のものには同一の符号を付してある。
【００７１】
図において、１０１は複数の画像を管理する画像管理手段で、例えばオペレーティングシステムのファイルシステムそのものであるか、あるいは、オペレーティングシステムのファイルシステムとは独立した画像管理データベース機能を保持しているものである。
【００７２】
１０２は画像表示手段で、画像管理手段１０１によって管理されている画像を表示する。１０３は印刷設定手段で、画像表示手段１０２によって表示されている画像から、印刷すべき画像を選択したり印刷の設定を行う。印刷設定手段１０３は、例えば、全画像を一括で印刷選択したり、画像毎に印刷選択したりする機能、あるいはインデックスのレイアウト（１６コマ・３０コマ・４２コマ）を選択したりする機能を有する。
【００７３】
１０４はインデックス印刷手段で、印刷設定手段１０３よって選択された画像のインデックス印刷を行う。インデックス印刷手段１０４は、画像印刷手段８０５、位置情報取得手段８０６、地図領域判断手段８０７、地図領域印刷手段８０８とを有する。尚、地図領域印刷手段８０７は、図９に詳細なフローを示す。
【００７４】
なお、図８に示す印刷システムのハード構成は、第１実施形態における図２に示したブロック図と同様の構成であるので、その説明は省略する。
【００７５】
また、図８における画像管理手段１０１、画像表示手段１０２、印刷設定手段１０３、インデックス印刷手段１０４は、ＣＰＵ２０１、ＲＡＭ２０３、ＨＤ２０７及びディスプレイ２０６により構成される。
【００７６】
図９は、本発明に係る印刷システムにおける第４のデータ処理手順の一例を示すフローチャートであり、図１に示されるインデックス印刷手段１０４で実行される処理手順に対応する。なお、Ｓ９０１〜Ｓ９０９は各ステップを示す。
【００７７】
インデックス印刷が開始されると、印刷設定手段１０３によって設定された印刷設定として、ページ毎の地図領域判断か全画像全体の地図領域判断かの選択が行われる（Ｓ９０１）。
【００７８】
なお、ステップＳ９０１の設定は、システムによっていずれか固定であってもかまわない。ページ毎の日時判断と全画像の日時判断との違いは、インデックスプリントが複数ページに及ぶ場合の動作の相違となる。インデックス印刷結果が複数ページとならない場合は、ページ毎日時判断か全画像日時判断かの差異はない。
【００７９】
ステップＳ９０１で、ページ毎の地図領域判断を行うと判定した場合、印刷設定手段１０３によって設定された印刷レイアウト、例えば１６コマ／ページに基づき、１ページ内の画像の地図領域判断がなされる（Ｓ９０２）。次に、印刷設定されたページ毎のコマ画像が印刷される（Ｓ９０３）。次に、ステップＳ９０２によってなされた地図領域判断に基づき、ページ内画像の地図領域が印刷される（Ｓ９０４）。
【００８０】
次に、印刷する最終画像まで印刷されたかどうかが判断され（Ｓ９０５）、まだ印刷すべき画像があると判断した場合は、ステップＳ９０２に戻って、ページ内の処理がなされる。
【００８１】
一方、ステップＳ９０５で、印刷すべき画像がないと判断した場合は、インデックス印刷が終了となる。
【００８２】
一方、ステップＳ９０１によって、全画像が地図領域判断の対象となっていたと判断した場合、全画像の地図領域判定がなされる（Ｓ９０６）。次に、ページ毎のコマ画像の印刷が行われる（Ｓ９０７）。次に、全画像の地図領域が印刷される（Ｓ９０８）。
【００８３】
なお、ステップＳ９０８によって印刷される地図領域情報はページ毎に共通な印刷情報となる。
【００８４】
次に、印刷する最終画像まで印刷されたかどうかが判断され（Ｓ９０９）、まだ印刷すべき画像があると判断した場合は、ステップＳ９０７に戻って、ページ内のコマ画像の印刷処理がなされる。
【００８５】
一方、ステップ（Ｓ９０９）で、印刷すべき画像がないと判断した場合は、インデックス印刷が終了となる。
【００８６】
図１０は、本発明に係る印刷システムにおける第５のデータ処理手順の一例を示すフローチャートであり、図８に示される地図領域判断手段８０７で実行される処理手順であって、図９に示したステップＳ９０２、ステップＳ９０６で実行される処理手順に対応する。なお、Ｓ１００１〜Ｓ１００８は各ステップを示す。
【００８７】
なお、図８に示した地図領域判断手段８０７では、全ての画像データを含む地図領域を全体地図とし、該全体地図をもとに分割した領域のうち、画像が一番多く含まれる地図領域を探索することで、縮尺の大きい地図を判断することを目的としている。この探索結果に基づいて、インデックスに地図（撮像地点を示すマップ）を印刷する際、全体地図を含む地図を最小縮尺地図とし、画像を一番多い領域を含む地図を最大縮尺地図として印刷を行うことができる。
【００８８】
ここで、最大縮尺の地図領域を探索する基準パラメーターとして、画像存在率Ｅを導入する。
【００８９】
本実施形態において、画像存在率Ｅとは、印刷設定画像のうち、ある地図領域に存在する画像の割合を示すものである。即ち、印刷設定画像が全て含まれる全体地図の画像存在率はＥ＝１．０となり、例えば、印刷設定画像１０画像のうち、５画像が含まれる地図領域の画像存在率はＥ＝０．５となる。最大縮尺地図の探索は、この画像存在率Ｅをもとにして行われる。以下、図１０に示したフローを説明する。
【００９０】
最大縮尺地図領域の探索が開始されると、まず画像全てを含む全体地図領域及びその縮尺地図が判定される（Ｓ１００１）。次に、ステップＳ１００１にて決定された地図領域からＺｎ倍（例えば、Ｚｎ＋１＝ｐＺｎ、ｎ＝｛０，１，２．．．｝、ｐ＝２、Ｚ０＝１）に拡大された地図領域及びその縮尺地図を決定し（Ｓ１００２）、ΔＸ（Ｚｎ）、ΔＹ（Ｚｎ）（ΔＸ，ΔＹは、Ｚｎに依存）ずつ移動しながら、それぞれの分割地図領域で、画像存在率Ｅを計測して行く（Ｓ１００３）。
【００９１】
そして、画像存在率Ｅが最も大きい領域がＥ'（例えばＥ'＝０．５）以下かどうか判定し（Ｓ１００４）、Ｅ’以下になった時点で、Ｚｎ倍拡大による探索を終了する。
【００９２】
一方、ステップＳ１００４で、画像存在率Ｅが最も大きい領域がＥ’よりも大きいと判断した場合は、ｎ＝ｎ＋１とした拡大倍率ＺｎにてステップＳ１００２を行い、再度ΔＸ（Ｚｎ）、ΔＹ（Ｚｎ）ずつ移動しながら、画像存在率を計測して行く（Ｓ１００３）。
【００９３】
そして、ステップＳ１００４にて画像存在率Ｅ’以下と判断された場合、次に、領域として分割が可能であるかどうかが判断される（Ｓ１００５）。
【００９４】
このステップＳ１００５は、同じ画像存在率Ｅをもつ複数の地図領域が存在する場合の判定を行うものである。
【００９５】
そして、ステップＳ１００５で最も画像存在率の大きい領域が唯一であったと判断した場合は、その領域から最大縮尺地図領域を決定し（Ｓ１００６）、本処理を終了とする。
【００９６】
一方、ステップＳ１００５にて、同じ画像存在率をもつ複数の地図領域が存在すると判断した場合は、分割不可として、ｎ＝ｎ−１としたＺｎ倍拡大時の縮尺を最大縮尺地図と決定する（Ｓ１００７）。さらに、最大縮尺地図が最小縮尺地図即ち全体地図を表現するものと同じ場合は、最大縮尺地図として、最小縮尺地図の中心部を拡大した地図を選択し（Ｓ１００８）、本処理を終了とする。
【００９７】
図１１は、本発明に係る印刷システムにおける領域分割例を説明する図である。
【００９８】
図１１において、５０１は図１０に示したステップＳ１００１によって決定された全体地図で、例えば、幅（距離）＝ｘ、高さ（距離）＝ｙの場合を示す。
【００９９】
５０２は図１０に示したステップＳ１００２によって決定されたＺｎ倍拡大の地図領域（例では、ｘ’＝ｘ／２、ｙ’＝ｙ／２）を示す。
【０１００】
５０３は探索の領域移動量Δｘ（例では、Δｘ＝ｘ’／２）を示し、５０４は探索の領域移動量Δｙ（例ではΔｙ＝ｙ’／２）を示す。なお、探索の領域移動量は、図１０に示したステップＳ１００３にて行われる探索の領域移動量を示したものである。この例では、計９分割領域で画像存在率Ｅが判断されることになる。
【０１０１】
図１２は、本発明に係る印刷システムにおける第１の領域分割例を説明する図であり、図１１に示した分割の具体例を図示している。
【０１０２】
図１２において、６０１は図１０に示したステップＳ１００１にて判断された全体地図を示し、番号１から番号１２までを示す。
【０１０３】
６０２は全体地図の中での各画像の位置を示したものである。図１２の例では、図１１に示した分割例を利用すると、領域１＝｛１，２，３，４｝、領域２＝｛２，４，５｝、領域３＝｛５，１１，１２｝、領域４＝｛３，４｝、領域５＝｛４，５，６，７｝、領域６＝｛５，６，７，９，１１，１２｝、領域７＝｛１０｝、領域８＝｛６，７，１０｝、領域９＝｛６，７，８，９｝となる。画像存在率Ｅが最大の領域は６、Ｅ＝０．５であり、領域６を利用して最大縮尺の地図が決定されることになる。
【０１０４】
図１３は、本発明に係る印刷システムにおける第１のインデックス印刷結果例を説明する図であり、インデックス印刷手段１０４によって印刷される図１２の画像位置の例を利用した印刷結果の例を示す。
【０１０５】
図１３において、７０１は、印刷されたインデックスの用紙を示す。７０２は、画像印刷手段１０６によって印刷された画像毎の印刷結果を示す。７０３は、図９のフローチャートにて決定された最大縮尺地図を示す。７０４は最小縮尺地図を示す。７０５の点線で囲まれた領域は、７０３を示す領域を図示している。
【０１０６】
図１４は、本発明に係る印刷システムにおける第２の領域分割例を説明する図であり、図１１に示した分割の具体例を図示しており、図１２に示した例とは別の画像位置の例を図示している。
【０１０７】
図１４において、８０１は全体地図を示し、番号１から番号１２までを示す。８０２は、全体地図の中での各画像の位置を示したものである。図１４の例では、領域１＝｛１，２，３，４｝、領域２＝｛２，４，５｝、領域３＝｛５，１１，１２｝、領域４＝｛３，４，６，１０｝、領域５＝｛４，５，６，７，１０｝、領域６＝｛５，７，９，１１，１２｝、領域７＝｛６，１０｝、領域８＝｛６，７，１０｝、領域９＝｛７，８，９｝となる。画像存在率Ｅが最大の領域は領域５及び領域６の２領域であり、ともにＥが０．４２（近似値）となる。この場合、ステップＳ１００５で分割はできなくなり、ステップＳ１００７に進む。さらに、ｎ＝ｎ−１とした時点で、最大縮尺地図＝最小縮尺地図即ち全体地図に戻るため、ステップＳ１００８を実行することになる。
【０１０８】
図１５は、本発明に係る印刷システムにおける第２のインデックス印刷結果例を説明する図であり、インデックス印刷手段１０４によって印刷される図１４の画像位置の例を利用した印刷結果の例を示す。
【０１０９】
図１５において、９０１は、印刷されたインデックスの用紙を示す。９０２は、画像印刷手段１０６によって印刷された画像毎の印刷結果を示す。９０３は、９０４に示す最小縮尺の地図の中心部分を単純に拡大した縮尺地図であり、９０５の点線で囲まれた領域は９０３を示す領域を図示している。９０３の領域は、９０４の領域の中心部を単純拡大したものである。
【０１１０】
図１６は、本発明に係る印刷システムにおける第３のインデックス印刷結果例を説明する図であり、複数の縮尺地図が印刷された例を示す。
【０１１１】
図１６において、１００１は最大縮尺の地図、１００３は最小縮尺の地図である。また、１００２にて示す縮尺地図は、例えば、図９のフローにおいて、ステップＳ９０２からステップＳ９０４のループが複数回実行された場合に設定される、各倍率Ｚｎで決定された最大画像存在率Ｅを示す領域の縮尺地図であってもよいし、最大縮尺地図の中心位置を基準にした一段縮小した縮尺地図などであってもよい。
【０１１２】
上述したように、本実施形態によれば、画像に付加された位置情報から、複数の縮尺をもつ地図領域を判断し、該インデックスプリント上に同時に複数の縮尺をもつ、一見して理解できる画像の位置情報が印刷されるので、付加価値の高いインデックスプリントを提供することができる。
【０１１３】
なお、上記実施形態では、撮影地点情報を識別情報としてインデックス印刷する場合について説明したが、印刷すべき撮影地点情報を識別情報としてインデックス印刷すべき画像とを画像表示手段１０２に表示する処理に判定させることも本発明の実施形態に含めることができる。
【０１１４】
〔第３実施形態〕
以下、図１７に示すメモリマップを参照して本発明に係る印刷装置で読み取り可能なデータ処理プログラムの構成について説明する。
【０１１５】
図１７は、本発明に係る印刷装置で読み取り可能な各種データ処理プログラムを格納する記憶媒体のメモリマップを説明する図である。
【０１１６】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１１７】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【０１１８】
本実施形態における図３，図４，図７，図９，図１０に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０１１９】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【０１２０】
この場合、記憶媒体から読み出されたプログラムコード自体が本発明の新規な機能を実現することになり、そのプログラムコードを記憶した記憶媒体は本発明を構成することになる。
【０１２１】
従って、プログラムの機能を有していれば、オブジェクトコード、インタプリタにより実行されるプログラム、ＯＳに供給するスクリプトデータ等、プログラムの形態を問わない。
【０１２２】
プログラムを供給するための記憶媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤなどを用いることができる。
【０１２３】
この場合、記憶媒体から読出されたプログラムコード自体が前述した実施形態の機能を実現することになり、そのプログラムコードを記憶した記憶媒体は本発明を構成することになる。
【０１２４】
その他、プログラムの供給方法としては、クライアントコンピュータのブラウザを用いてインターネットのホームページに接続し、該ホームページから本発明のコンピュータプログラムそのもの、もしくは、圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやｆｔｐサーバ等も本発明の請求項に含まれるものである。
【０１２５】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報オーダウンロードさせ、その鍵情報を使用することにより暗号化されたプログラムを実行してコンピュータにインストールさせて実現することも可能である。
【０１２６】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１２７】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１２８】
本発明は上記実施形態に限定されるものではなく、本発明の趣旨に基づき種々の変形（各実施形態の有機的な組合せを含む）が可能であり、それらを本発明の範囲から排除するものではない。
【０１２９】
本発明の様々な例と実施形態を示して説明したが、当業者であれば、本発明の趣旨と範囲は、本明細書内の特定の説明に限定されるのではなく、以下の実施態様も含まれることはいうまでもない。以下、その実施態様１〜２２について説明する。
【０１３０】
〔実施態様１〕
複数の画像データを１枚の用紙に一覧印刷するインデックスプリント機能を備える印刷装置であって、
各画像データをインデックスプリント領域内に印刷すると共に各画像データに付加されている撮影日時情報に基づいて、各画像データの時間的識別情報を時間的指標として印刷する印刷制御手段（図１に示す画像印刷手段１０６）を有することを特徴とする印刷装置。
【０１３１】
これにより、ユーザが撮像した各画像データの撮像履歴を印刷結果から容易に検証可能な付加価値の高いインデックスプリント結果を得ることができる。
【０１３２】
〔実施態様２〕
前記印刷制御手段は、各画像データの撮影日時と撮影数とを相対的に示す撮影履歴指標を時間軸上に沿って印刷することを特徴とする実施態様１記載の印刷装置。
【０１３３】
これにより、撮影日時とその撮影枚数とを視覚的に捉えやすい付加価値の高いインデックスプリント結果を得ることができる。
【０１３４】
〔実施態様３〕
前記時間的識別情報は、各画像データの撮影日時と撮影数とを相対的に示す指標情報（図５、図６に示すインデックスプリント結果例）であることを特徴とする実施態様１記載の印刷装置。
【０１３５】
これにより、撮影日時とその撮影枚数とを視覚的に捉えやすい付加価値の高いインデックスプリント結果を得ることができる。
【０１３６】
〔実施態様４〕
前記時間的指標情報中の撮影数は、前記時間軸上が時分割された時間帯に含まれる撮影画像の総数を表す数値（図６に示すインデックスプリント結果例）であることを特徴とする実施態様１記載の印刷装置。
【０１３７】
これにより、撮影日時とその撮影枚数とを視覚的に捉えやすい付加価値の高いインデックスプリント結果を得ることができる。
【０１３８】
〔実施態様５〕
前記時間的指標情報は、前記時間軸上が時分割された時間帯に含まれる撮影画像の総数を表す数値とその数値に比例する背景図形（図６に示すインデックスプリント結果例）とであることを特徴とする実施態様１記載の印刷装置。
【０１３９】
これにより、撮影日時とその撮影枚数とを視覚的に捉えやすい付加価値の高いインデックスプリント結果を得ることができる。
【０１４０】
〔実施態様６〕
複数の画像データを１枚の用紙に一覧印刷するインデックスプリント機能を備える印刷装置であって、各画像データをインデックスプリント領域内に印刷すると共に各画像データに付加されている撮影地点情報に基づいて、各画像データの地理的識別情報を地理的指標として印刷する第２の印刷制御手段（図８に示す地図領域印刷手段８０８）とを有することを特徴とする印刷装置。
【０１４１】
これにより、ユーザが撮像した各画像データの撮像地点を印刷結果から容易に検証可能な付加価値の高いインデックスプリント結果を得ることができる。
【０１４２】
〔実施態様７〕
前記印刷制御手段は、各画像データの撮影地点情報に基づいて、各画像データの地理的識別情報をインデックスプリント領域内に撮影地点を示す指標を含むマップとして印刷する（図１３に示すインデックスプリント結果例）ことを特徴とする実施態様６記載の印刷装置。
【０１４３】
これにより、インデックスプリントされる各画像データの撮影地点を検証することが可能な付加価値の高いインデックスプリント結果を得ることができる。
【０１４４】
〔実施態様８〕
前記印刷制御手段は、少なくともインデックスプリントされる各画像データの全ての地点を含む第１の地理的識別情報と、該第１の地理的識別情報を分割した第２の地理的識別情報とを印刷可能とする（図１３に示すインデックスプリント結果例）ことを特徴とする実施態様６記載の印刷装置。
【０１４５】
これにより、インデックスプリントされる各画像データの撮影地点を絞り込んで検証すること可能な付加価値の高いインデックスプリント結果を得ることができる。
【０１４６】
〔実施態様９〕
前記印刷制御手段は、少なくともインデックスプリントされる各画像データの全ての地点を含む第１の地理的識別情報と、該第１の地理的識別情報を分割した複数の第２の地理的識別情報とを印刷可能とする（図１６に示すインデックスプリント結果例）ことを特徴とする実施態様６記載の印刷装置。
【０１４７】
これにより、インデックスプリントされる各画像データの撮影地点を絞り込んで検証することが可能な付加価値の高いインデックスプリント結果を得ることができる。
【０１４８】
〔実施態様１０〕
前記第１の地理的識別情報と前記第２の地理的識別情報との縮尺は、それぞれ異なることを特徴とする実施態様８記載の印刷装置。
【０１４９】
これにより、インデックスプリントされる各画像データの撮影地点の散らばりに適応した最適な尺度で撮影地点を絞り込まれた付加価値の高いインデックスプリント結果を得ることができる。
【０１５０】
〔実施態様１１〕
複数の画像データを１枚の用紙に一覧印刷するインデックスプリント機能を備える印刷装置におけるインデックスプリント方法であって、各画像データをインデックスプリント領域内に印刷すると共に各画像データに付加されている撮影日時情報基づいて、各画像データの時間的識別情報を時間的指標として印刷する印刷制御ステップ（図３に示すステップＳ３０４またはステップＳ３０８）を有することを特徴とするインデックスプリント方法。
【０１５１】
これにより、実施態様１と同様の効果を期待できる。
【０１５２】
〔実施態様１２〕
前記印刷制御ステップは、各画像データの撮影日時と撮影数とを相対的に示す撮影履歴指標を時間軸上に沿って印刷することを特徴とする実施態様１１記載のインデックスプリント方法。
【０１５３】
これにより、実施態様２と同様の効果を期待できる。
【０１５４】
〔実施態様１３〕
前記時間的識別情報は、各画像データの撮影日時と撮影数とを相対的に示す指標情報であることを特徴とする実施態様１１記載のインデックスプリント方法。
【０１５５】
これにより、実施態様３と同様の効果を期待できる。
【０１５６】
〔実施態様１４〕
前記時間的指標情報中の撮影数は、前記時間軸上が時分割された時間帯に含まれる撮影画像の総数を表す数値であることを特徴とする実施態様１１記載のインデックスプリント方法。
【０１５７】
これにより、実施態様４と同様の効果を期待できる。
【０１５８】
〔実施態様１５〕
前記時間的指標情報は、前記時間軸上が時分割された時間帯に含まれる撮影画像の総数を表す数値とその数値に比例する背景図形とであることを特徴とする実施態様１１記載のインデックスプリント方法。
【０１５９】
これにより、実施態様５と同様の効果を期待できる。
【０１６０】
〔実施態様１６〕
複数の画像データを１枚の用紙に一覧印刷するインデックスプリント機能を備える印刷装置におけるインデックスプリント方法であって、各画像データをインデックスプリント領域内に印刷すると共に各画像データに付加されている撮影地点情報に基づいて、各画像データの地理的識別情報をインデックスプリント領域内に地理的指標として印刷する印刷制御ステップ（図９に示すステップＳ９０４またはステップＳ９０８）を有することを特徴とするインデックスプリント方法。
【０１６１】
これにより、実施態様６と同様の効果を期待できる。
【０１６２】
〔実施態様１７〕
前記印刷制御ステップは、各画像データの撮影地点情報に基づいて、各画像データの地理的識別情報をインデックスプリント領域内に撮影地点を示す指標を含むマップとして印刷することを特徴とする実施態様１６記載のインデックスプリント方法。
【０１６３】
これにより、実施態様７と同様の効果を期待できる。
【０１６４】
〔実施態様１８〕
前記印刷制御ステップは、少なくともインデックスプリントされる各画像データの全ての地点を含む第１の地理的識別情報と、該第１の地理的識別情報を分割した第２の地理的識別情報とを印刷可能とすることを特徴とする実施態様１６記載のインデックスプリント方法。
【０１６５】
これにより、実施態様８と同様の効果を期待できる。
【０１６６】
〔実施態様１９〕
前記印刷制御ステップは、少なくともインデックスプリントされる各画像データの全ての地点を含む第１の地理的識別情報と、該第１の地理的識別情報を分割した複数の第２の地理的識別情報とを印刷可能とすることを特徴とする実施態様１６記載のインデックスプリント方法。
【０１６７】
これにより、実施態様９と同様の効果を期待できる。
【０１６８】
〔実施態様２０〕
前記第１の地理的識別情報と前記第２の地理的識別情報との縮尺は、それぞれ異なることを特徴とする実施態様１８又は１９記載のインデックスプリント方法。
【０１６９】
これにより、実施態様１０と同様の効果を期待できる。
【０１７０】
〔実施態様２１〕
実施態様１１〜２０のいずれかに記載のインデックスプリント方法を実行させるためのプログラムを格納したことを特徴とするコンピュータが読み取り可能な記憶媒体。
【０１７１】
これにより、実施態様１１〜２０と同様の効果を期待できる。
【０１７２】
〔実施態様２２〕
実施態様１１〜２０のいずれかに記載のインデックスプリント方法を実行させることを特徴とするプログラム。
【０１７３】
これにより、実施態様１１〜２０と同様の効果を期待できる。
【図面の簡単な説明】
【０１７４】
【図１】本発明の第１実施形態を示す印刷装置を適用可能な印刷システムの構成を説明するブロック図である。
【図２】図１に示す印刷システムのハード構成の一例を示すブロック図である。
【図３】本発明に係る印刷システムにおける第１のデータ処理手順の一例を示すフローチャートである。
【図４】本発明に係る印刷システムにおける第２のデータ処理手順の一例を示すフローチャートである。
【図５】本発明に係る印刷システムにおける第１のインデックス印刷結果の一例を示す図である。
【図６】本発明に係る印刷システムにおける第２のインデックス印刷結果の一例を示す図である。
【図７】本発明に係る印刷システムにおける第３のデータ処理手順の一例を示すフローチャートである。
【図８】本発明の第２実施形態を示す印刷装置を適用可能な印刷システムの構成を説明するブロック図である。
【図９】本発明に係る印刷システムにおける第４のデータ処理手順の一例を示すフローチャートである。
【図１０】本発明に係る印刷システムにおける第５のデータ処理手順の一例を示すフローチャートである。
【図１１】本発明に係る印刷システムにおける領域分割例を説明する図である。
【図１２】本発明に係る印刷システムにおける第１の領域分割例を説明する図である。
【図１３】本発明に係る印刷システムにおける第１のインデックス印刷結果例を説明する図である。
【図１４】本発明に係る印刷システムにおける第２の領域分割例を説明する図である。
【図１５】本発明に係る印刷システムにおける第２のインデックス印刷結果例を説明する図である。
【図１６】本発明に係る印刷システムにおける第３のインデックス印刷結果例を説明する図である。
【図１７】本発明に係る印刷装置で読み取り可能な各種データ処理プログラムを格納する記憶媒体のメモリマップを説明する図である。
【符号の説明】
【０１７５】
１０１  画像管理手段
１０２  画像表示手段
１０３  印刷設定手段
１０４  インデックス印刷手段
１０５  日時判定手段
１０６  画像印刷手段
１０７  時間軸及び識別情報印刷手段
【図１】
2006069012.tif 000003
【図２】
2006069012.tif 000004
【図３】
2006069012.tif 000005
【図４】
2006069012.tif 000006
【図５】
2006069012.tif 000007
【図６】
2006069012.tif 000008
【図７】
2006069012.tif 000009
【図８】
2006069012.tif 000010
【図９】
2006069012.tif 000011
【図１０】
2006069012.tif 000012
【図１１】
2006069012.tif 000013
【図１２】
2006069012.tif 000014
【図１３】
2006069012.tif 000015
【図１４】
2006069012.tif 000016
【図１５】
2006069012.tif 000017
【図１６】
2006069012.tif 000018
【図１７】
2006069012.tif 000019